(57)【特許請求の範囲】
【請求項１】
芳香液を収容する容器と、該容器に嵌合する排気孔を有する蓋体と、前記容器内に配設された筒体と、前記筒体の内壁部に配設され、マイナスイオン発生体を収納した円筒籠と、前記容器に収容された芳香液を前記マイナスイオン発生体に散水する散水手段と、散水された芳香液が前記マイナスイオン発生体に衝突することにより生じた前記芳香液の蒸散成分とマイナスイオンを含む空気を容器外へ排出するファンと、前記散水手段およびファンとを駆動させる駆動手段と、を具備し、
前記ファンは、長方形に形成された長方形羽根と、前記容器内から外部に排出されようとする芳香液の細滴を容器内に掻き落とし可能にすべくＬ字形に形成されたＬ字形羽根とを、それぞれ交互に一定間隔で配設することにより構成されていることを特徴とする空気調整装置。
【請求項２】
前記散水手段と、前記ファンとは、前記蓋体に内設された前記駆動手段の駆動軸を介して前記蓋体に一体に形成されていることを特徴とする請求項１記載の空気調整装置。
【請求項３】
前記散水手段は、
下方に向かって徐々に縮径するテーパ筒体と、該テーパ筒体の上面に取り付けられた遮蔽板とから成り、
該遮蔽板の上面略中央には、前記駆動手段の駆動軸下端が固設されており、遮蔽板下面には、前記テーパ筒体取付端部から径方向に連通する連通孔が形成されていることを特徴とする請求項１または２記載の空気調整装置。
【請求項４】
前記筒体は、
前記容器の内側底面より離間して配設されていることを特徴とする請求項１乃至３いずれか一項に記載の空気調整装置。
【請求項５】
前記筒体は、
透明又は半透明の材料により形成され、該表面が粗面加工されていると共に、該上端部近傍に照明装置が配設されていることを特徴とする請求項１乃至４いずれか一項に記載の空気調整装置。
【発明の詳細な説明】
【０００１】
【発明の属する技術分野】
本発明は、室内でアロマテラピー等の芳香浴を楽しむために、芳香液を蒸散させる空気調整装置に関するものである。
【０００２】
【従来の技術】
従来より、アロマテラピーを楽しむために、ロウソクや電球等の加熱熱源の上に蒸発皿を配設し、蒸発皿に所望の芳香液を入れて芳香成分を蒸発させるために使用する空気調整装置としてアロマポットが提供されている。
【０００３】
【発明が解決しようとする課題】
健康志向の高まりと共に、アロマテラピー等の芳香浴をすることにより、身体の自然治癒力を高める効果があることや、心身を癒す効果があるということに注目が寄せられている。
このようなアロマテラピーの人気により、加熱熱源にロウソクや電球を用いたタイプのアロマポットが大量に流通している。これらのアロマポットを用いることにより、ロウソクの炎や電球の光によりリラックス効果が得られることや、加熱熱源としてのロウソクや電球は入手が容易であるため、日常の使い勝手は良好であるといった固有の長所があるものの、ロウソクの炎の不始末や、電球への電源切り忘れなどに起因する火災の発生のおそれがある。また、幼児等が誤って加熱熱源に接触することにより、火傷をするおそれがあるなどといった課題も存在している。
さらには、蒸発皿は外部に直接あらわれているため、蒸発皿の芳香液がこぼれてしまうといった課題もある。
【０００４】
本発明は、ロウソク等の熱源を用いずに芳香液の芳香成分を空気中に放出することが可能であり、芳香液が空気調整装置から容易にこぼれない構造を有しながらも、従来のアロマポットが有していたリラックス効果を併せ持つことを可能にした空気調整装置を提供することを目的とする。
【０００５】
【課題を解決するための手段】
以上の課題を解決し、目的を達成するために、本発明者は種々の検討を行った結果、熱源を用いなくても、芳香液の芳香成分を効率的に蒸発させることに想到し、本発明を完成させた。
本発明は以下の構成からなる。
すなわち、本願発明は、芳香液を収容する容器と、該容器に嵌合する排気孔を有する蓋体と、前記容器内に配設された筒体と、前記筒体の内壁部に配設され、マイナスイオン発生体を収納した円筒籠と、前記容器に収容された芳香液を前記マイナスイオン発生体に散水する散水手段と、散水された芳香液が前記マイナスイオン発生体に衝突することにより生じた前記芳香液の蒸散成分とマイナスイオンを含む空気を容器外へ排出するファンと、前記散水手段およびファンとを駆動させる駆動手段と、を具備し、前記ファンは、長方形に形成された長方形羽根と、前記容器内から外部に排出されようとする芳香液の細滴を容器内に掻き落とし可能にすべくＬ字形に形成されたＬ字形羽根とを、それぞれ交互に一定間隔で配設することにより構成されていることを特徴とする空気調整装置である。
本装置は、容器に収容された芳香液を散水手段により円筒籠に収納されたマイナスイオン発生体に衝突させ、芳香液を蒸散させ、芳香液の蒸散成分をファンにより装置外へ排出させ、香りによるリラックス効果を得ようとするものである。
芳香液の芳香成分を蒸散させるためには、必ずしも芳香液を加熱せずとも良く、芳香液の液滴を細かく粉砕して空中に放出することにより、常温であっても空気中に蒸散させることができる。これにより、空気調整装置における芳香液の蒸散手段から火気や熱気を除去することができ、安全な空気調整装置を提供することができる。
【０００６】
また、他の形態として、本願発明において、前記散水手段と、前記ファンとは、前記蓋体に内設された前記駆動手段の駆動軸を介して前記蓋体に一体に形成することが好ましい。
これにより、容器内への芳香液の補充、交換作業を容易にすることができる。また、芳香液が直接外に現れていない構造にすることができるので、誤って芳香液をこぼしてしまうといったおそれがない。
【０００７】
さらに、他の形態として、前記散水手段を、下方に向かって徐々に縮径するテーパ筒体と、該テーパ筒体の上面に取り付けられた遮蔽板とにより構成すると共に、遮蔽板の上面の略中央部分に前記駆動手段の駆動軸下端を固設し、さらに、遮蔽板下面の前記テーパ筒体取付端部にテーパー筒体の径方向に連通する連通孔を形成する構成とすることが好ましい。
遮蔽板とは、テーパ筒体を上昇してきた芳香液が上部に逃散させずに側方へ飛散させるために、芳香液の上昇を遮蔽させるためのものである。
これにより、芳香液を液面から吸い上げるとともに、側方へ飛ばして、筒体に衝突させることにより芳香液を微細に粉砕し、常温における空気中であっても蒸散しやすい状態にすることができる。
【０００９】
さらにまた、前記筒体は、前記容器の内側底面と離間して配設されていることが好ましい。
これにより、蒸散手段により容器内の芳香液がうねることを抑えると共に、容器内全体に収容された芳香液を筒体内に供給させることができるので、芳香液を大量に収容することが可能になり、長時間にわたる連続運転をすることができる。
【００１０】
また、前記筒体を、透明又は半透明の材料により形成し、該表面を粗面加工すると共に、該上端部近傍に照明装置を配設した構成とすることもできる。
これにより、空気調整装置から発せられる光を幻想的なものにすることができ、嗅覚だけでなく、視覚的にも癒し効果を与えているのでリラックス効果をさらに向上させることができる。
【００１１】
【発明の実施の形態】
本発明に係る空気調整装置の実施の形態を図面に沿って詳細に説明する。
図１は、本発明に係る空気調整装置の正面図である。図２は本発明に係る空気調整装置の右側面図である。図３は、本発明に係る空気調整装置の背面図である。図４は図１のＡ−Ａ線における断面図である。図５は、図２のＢ−Ｂ線における断面図である。図６は本発明にかかる空気調整装置の組み立て説明図である。
空気調整装置１０は、芳香液を収容する容器２０と、容器２０内に配設する円筒体２２と、円筒体２２に配設されるマイナスイオン発生体２４と、円筒体２２の内部に配設されるテーパ筒体２６と、テーパ筒体２６の上端部近傍に配設される遮蔽板２８と、遮蔽板２８に一体に形成されたファン２９と、テーパ筒体２６と遮蔽板２８およびファン２９を回転させるモータＭと、容器２０に嵌合する蓋体３０とにより主要な構成がなされている。
【００１２】
本空気調整装置１０は、容器側部分と蓋体側部分とにより構成されている。
先ず容器側部分について説明する。
容器２０は、波型に形成された底板２０ａに、上方へ徐々に縮径する側壁部２０ｂを嵌合または溶着もしくは接着により組み立てられて成るものである。容器２０は、上面に凹部２０ｃを有すると共に、凹部２０ｃの中央部２０ｄが開口する円錐の一部を取り除いた変形円錐台状に形成されており、透明または半透明な材料から成っている。容器２０の上端面には、蓋体３０を嵌合させる際のガイドとなる嵌合突起２０ｅが設けられており、嵌合突起２０ｅの脇には、容器２０内に連通する空気取り込み孔２０ｆが形成されている。空気取り込み孔２０ｆは、容器２０内の芳香液の取替え等の際には、芳香液の排水口としての機能も有している。以上のように嵌合突起２０ｅを有する構成とすることで、筒体２２および蓋体３０を簡単にしかも正確に組み立てることができるので好適である。また、底板２０ａには、スベリ止めのゴムを配した脚部２０ｇが設けられている。
【００１３】
容器２０の中央部には、透明または半透明の材料により成り、かつ、表面が粗面加工された筒体２２が配設される。筒体２２は、容器２０の底板２０ａの内側面と僅かに離間した状態になっているので、容器２０内の芳香液を自らによって分断してしまうことはない。
さらに、筒体２２の上端面近傍には、ＬＥＤ等の照明（図示せず)が配設されている。空気調整装置１０を運転するとＬＥＤが光を照射する。ＬＥＤの光は、筒体２２の上端面から進入し、筒体２２の側面および下端面から光を放射する。筒体２２の表面は粗面加工がなされているので、筒体２２の側面から光を放射する際においては光が乱反射し筒体２２全体を光らせると共に、筒体２２から放出された光の一部は、容器２０内の芳香液に映し出されるので、見た目に美しい状態を呈することができる。
【００１４】
筒体２２の内壁部には、トルマリン原石やセラミックボール等によりなるマイナスイオン発生体２４を収納したドーナツ状の円筒籠２５が配設される。円筒籠２５は収容部２５ａと蓋体部２５ｂとにより構成されている。収容部２５ａに蓋体部２５ｂが着脱自在に取り付けられている。筒体２２の内側壁面上側に形成された段差部分２２ａに円筒籠２５を載置させることにより、円筒籠２５を筒体２２に保持させている。円筒籠２５は、収容部２５ａに収容したマイナスイオン発生体２４へ散水手段により散水された芳香液が好適に衝突できるように、遮蔽板２８の水平位置より若干上方の位置にもマイナスイオン発生体２４がくるように配設されている。円筒籠２５の内側壁面には芳香液を衝突させた後、容器２０に芳香液が落下するようにスリット２５ｃが形成されている。
【００１５】
さらに、蓋体部２５ｂの上面には、発生したマイナスイオンを放出させるための排出スリット２５ｄが形成されている。排出スリット２５ｄは後述するファン２９に近接しているため、ファン２９の回転により発生する風きり音を防ぐため、ファン２９の回転方向と同方向に延びる形状に形成されている。これにより、ファン２９の回転による風きり音を非常に小さく抑えることができるので、空気調整装置１０の運転に伴い発生する風きり音によりリラックス効果が損われることがないため好適である。
なお、以上に説明した筒体２２および円筒籠２５は、容器２０に対して着脱自在に配設されているので、容器２０への芳香液の追加・排出が容易に行えると共に、容器２０の洗浄がしやすくなり、衛生的に使用することができ好適である。
【００１６】
次に蓋体側について説明する。
先に説明したとおり、容器２０は円錐体の一部分を取り除くことにより、変形円錐台状に形成されているが、蓋体３０は、この円錐体から取り除いた部分と略同形に形成されているので、容器２０に蓋体３０を嵌合させると、略円錐体の空気調整装置１０が組み立てられる。蓋体３０の底面後方側には、位置決め穴３０ａが設けられており、容器２０に蓋体３０を嵌合させる際には、容器２０に設けられた嵌合突起２０ｅを蓋体３０の位置決め穴３０ａに嵌合させれば良い。なお、蓋体３０の位置決め穴３０ａに接触式のＯＮ−ＯＦＦスイッチ（図示せず）を設ければ、蓋体３０が所定の位置で容器２０と嵌合しなければ空気調整装置１０のスイッチが入らないようにすることができる。これにより、容器２０と蓋体３０との隙間から芳香液の飛び散り等を防止することができ好適である。
【００１７】
蓋体３０の内部空間には、電源装置ＤとモータＭが内蔵されており、モータＭの駆動軸Ｍａのみが蓋体３０の底面からあらわれている。モータＭの駆動軸Ｍａの先端を円形の遮蔽板２８に形成された固設部２８ａに固設することにより遮蔽板２８を蓋体３０に固定している。固設部２８ａを中心とする遮蔽板２８の上面における放射方向には、芳香液の蒸散成分を含む容器２０内の空気を空気調整装置１０の外部へ排出するためのファン２９が形成されている。
遮蔽板２８の下側の面には、遮蔽板２８と離間する方向に徐々に縮径するテーパ筒体２６が接着または溶着により遮蔽板２８と一体に取り付けられている。
【００１８】
続いてテーパ筒体２６について詳細に説明する。
図７はテーパ筒体の説明図である。
テーパ筒体２６は、モータＭの駆動軸Ｍａに係止された遮蔽板２８を介して蓋体３０に一体に形成されている。テーパ筒体２６は、モータＭの駆動軸Ｍａの先端を接続した遮蔽板２８に取り付けられているので、モータＭの回転により遮蔽板２８が回転し、遮蔽板２８の回転と共にテーパ筒体２６が回転する。テーパ筒体２６を回転させると、芳香液の粘性により芳香液がテーパ筒体２６の内側壁面を伝って吸い上げられる。
テーパ筒体２６と遮蔽板２８との取付端部には、テーパ筒体２６の内部と外部とを連通する連通孔２６ａが所定の間隔をあけて配設されている。また、テーパ筒体２６の内側壁面には、連通孔２６ａの配設間隔をそれぞれ二等分するように一定間隔でテーパ筒体２６の延長方向に延びる突出部２６ｂが形成されている。
【００１９】
ファン２９について説明する。
ファン２９は、略長方形に形成された長方形羽根と、略Ｌ字形に形成されたＬ字形羽根とがそれぞれ交互に一定間隔に配設されることにより構成される。
テーパ筒体２６の回転により吸い上げられた芳香液は遮蔽板２８に衝突した後、遠心力により、円筒籠２５に放出され、円筒籠２５に収容されたマイナスイオン発生体２４に衝突して、マイナスイオンを発生させている。この衝突に伴い、芳香液が細滴となりマイナスイオンと共にファン２９により空気調整装置１０の外部へ排出し、空気調整装置１０の周辺を濡らしてしまうため、本実施の形態のように、ファン２９の一部の羽根の形状をＬ字形にすることで、細滴を掻き落とす作用が得られ、細滴が空気調整装置１０の外部へ排出されるのを好適に防止することができる。
これにより、空気調整装置１０を運転しても空気調整装置１０の周辺が濡れてしまうことがなく、また、芳香液の減少を抑えることができるため、好都合である。
【００２０】
蓋体３０は、上端部分に透明または半透明のキャップ３１が取り付けられていると共に、キャップ３１の内部にはＬＥＤを取り付けた基板３１ａが配設されている。基板３１ａは、空気調整装置１０の運転状況に応じた表示がなされるように、基板３１ａに取り付けたＬＥＤへの電力供給を制御している。
蓋体３０の側面部背面側には、外気取り込み口３０ｂが配設されており、容器２０に配設されている空気取り込み孔２０ｆと連通している。外気取り込み口３０ｂから取り込まれた外気は、蓋体３０に内蔵されたモータＭの冷却や、容器２０内への補充用空気として用いられる。また、電源コードの取り出し口３０ｃが設けられており、電源コード（図示せず）が挿通されている。一方、蓋体３０の正面側には、空気調整装置１０内部で発生させた芳香成分やマイナスイオンを排出するための排出孔３０ｄが容器２０内と連通して形成されている。さらには、スイッチ３２ａと、ＬＥＤ３２ｂを内臓した操作部３２が設けられており、空気調整装置１０の運転状況等を内蔵したＬＥＤ３２ｂの点灯により表示する。
【００２１】
以上に説明した空気調整装置１０の使用方法と共に、芳香液の芳香成分を排出させる機構について説明する。
空気調整装置１０の容器２０に所望の香りに調合した芳香液を入れる。
蓋体３０に設けられた操作部３２のスイッチ３２ａにより空気調整装置１０を起動し、空気調整装置１０のメニューを選択する。メニューが選択されると、モータＭが回転する。モータＭの回転は駆動軸Ｍａにより、遮蔽板２８に伝達され、遮蔽板２８とテーパ筒体２６を回転させる。また、キャップ３１内のＬＥＤを配設した基板３１ａや操作部３２のＬＥＤ３２ｂおよび、容器２０内の筒体２２の上端部付近に設けたＬＥＤが点灯される。
テーパ筒体２６が回転すると、容器２０に収容された芳香液がその粘性によりテーパ筒体２６の内側壁面を伝わって吸い上げられる。本実施の形態のようにテーパ筒体２６の内側壁面に突出部２６ｂを形成することにより、芳香液の吸い上げ効率が向上するので好適である。
【００２２】
テーパ筒体２６の内側壁面上端部付近まで吸い上げられた芳香液は、遮蔽板２８に衝突すると、遠心力によりテーパ筒体２６と遮蔽板２８との接続部に形成された連通孔２６ａから水平方向へ放出される。水平方向に放出された芳香液は、筒体２２の内側壁面に配設されたマイナスイオン発生体２４を収容した円筒籠２５に衝突する。芳香液が円筒籠２５に衝突すると、芳香液の芳香成分が蒸散すると共に、大量のマイナスイオンが発生する。芳香成分と大量のマイナスイオンは、遮蔽板２８の上面側に配設されたファン２９により、排出孔３０ｄを通って空気調整装置１０の外部に排出される。ファン２９のＬ字形羽根により、芳香液の細滴が掻き落とされるので、空気調整装置１０の外部へ排出されるのはマイナスイオンだけになり、空気調整装置１０の周辺が濡れることがなく、使い勝手がよい。
蒸散しなかった芳香液および、Ｌ字形羽根により掻き落とされた細滴は、円筒籠２５に形成されたそれぞれのスリット２５ｃ、２５ｄを通って容器２０に戻る。
【００２３】
芳香液に浸漬されているテーパ筒体２６がモータＭの駆動力により回転することにより、芳香液が吸い上げられるが、テーパ筒体２６の回転を継続していると、容器２０に収容した芳香液が連れ回りし、容器２０の内部でうねりを起こしてしまうことがあるため、空気調整装置１０が不安定になるおそれがある。また、芳香液が連れ回りすることにより、容器２０内の芳香液の液面がテーパ筒体２６の位置で低くなってしまい、容器内の芳香液が少なくなった場合においては、テーパ筒体２６の回転による芳香液の吸い上げ効率が悪くなるといった課題もある。
【００２４】
そこで、本発明に係る空気調整装置１０のように、容器２０の内底面と僅かに離間させて芳香液を衝突させる筒体２２を配設することにより、テーパ筒体２６の回転による芳香液の連れ回りを筒体２２の内側部分のみに抑えることができる。これにより、容器２０の内部全体の芳香液が連れ回りしにくくなるので、空気調整装置１０が不安定になることがない。
また、芳香液が円筒籠２５のマイナスイオン発生体２４に衝突する際の音が、空気調整装置１０の外に洩れにくくなるため雑音を少なくした空気調整装置１０にすることができる。
さらに、筒体２２を容器２０の内底面から離間させていることにより、筒体２２の内側領域には、容器２０に収容されている全体の芳香液を流入させることができるため、常にテーパ筒体２６の先端部分が芳香液に浸漬する状態になるので、芳香液の吸い上げ効率の悪化を防止することができるため好適である。
【００２５】
さらにまた、筒体２２の表面には、粗面加工がなされているので、筒体２２の上端部に配設されたＬＥＤからの光が、乱反射し、筒体２２全体を光らせることができる。さらには、筒体２２の下端部から出る光が容器２０の波型に形成された底板２０ａに照射され、ここでも光が乱反射して容器２０に収容した芳香液にも光が映し出される。このように、光の反射により筒体２２や芳香液を光で演出することができるので、見た目にも美しさを感じさせることができる空気調整装置とすることができる。なお、底板２０ａの形成には容器の側壁部２０ｂとは異なった色彩の透明材料とすれば、色彩が多様化し、視覚から与えられるリラックス効果がさらに高まり好適である
【００２６】
以上、本実施の形態における空気調整装置１０について詳細に説明してきたが、この実施の形態以外の構成であっても、本発明に係る空気調整装置１０を構成させることができる。
例えば、本実施の形態においては、排気手段であるファン２９を遮蔽板２８と一体に形成しているが、単独でファン２９を配設する構成としても良いのはもちろんである。この場合、ファン２９の駆動装置に新たなモータＭを配設する必要はなく、モータＭと遮蔽板２８との中間位置にファン２９を配設し、モータの駆動軸Ｍａをファン２９に挿通させることにより配設すればよい。
また、芳香液をマイナスイオン発生体に衝突させることにより大量のマイナスイオンを発生させているが、マイナスイオン発生体を収容しなくてもレナード効果によりマイナスイオンを発生させることは可能ではある。
【００２７】
また、本実施の形態においては、散水手段として芳香液に浸漬したテーパ筒体２６をモータＭにより回転させる装置としているが、ポンプ装置により芳香液を吸い上げて遮蔽板２８または筒体２２もしくは円筒籠２５に芳香液を衝突させる装置を用いても同様の効果を得ることができる。
さらに、本実施の形態においては、筒体２２を円筒体としているが、容器２０内の芳香液全体が連れ回することを防げれば円筒体に限定されるものではない。また、筒体２２の下端部を底板２０ａの内側面から離間させて配設しているが、筒体２２の下端部を底板２０ａの内側面に当接する状態に設置しても、筒体２２の下端部に外側と内側とを連通するスリットを設けることにより、容器２０内の芳香液を筒体２２の内側に流入させることができ、芳香液の連れ回りも抑えることができる。
【００２８】
【発明の効果】
本発明に係る空気調整装置によれば、火気を伴わない空気調整装置とすることができるので、長時間使用しても火災や火傷等の心配がない空気調整装置とすることができる。
また、散水手段、駆動手段、ファンを蓋体に一体に形成したことにより、組み立てが容易になり、メンテナンス性が向上する。また、芳香液が直接外部に現れていないので、芳香液がこぼれるおそれがない。
さらに、散水手段をモータにより回転するテーパ筒体としたことにより単純な構造にすることができる。また、散水手段を駆動させる駆動手段をファンに用いる駆動手段と共通のモータとすることができ、部品数の削減が可能になり、製造コストを抑えることができる。
【００２９】
さらにまた、芳香液を衝突させて芳香成分を蒸散させる箇所にマイナスイオン発生体を配設したことにより、芳香成分のみならず、マイナスイオンをも排出することができるので、リラックス効果をさらに高めることができる。
また、芳香液を衝突させる筒体を容器の底面から離間させて配設したことにより、テーパ筒体が回転することによる芳香液の連れ回り領域を狭い範囲にすることができるので、芳香液の連れ周りによって空気調整装置が不安定になることを防ぐと共に、容器全体の芳香液を使用することができるので、長時間にわたって空気調整装置を運転することができる。
さらに、筒体の表面を粗面加工すると共に、筒体の上端部付近に照明装置を配設したことにより、筒体から光が乱反射し、筒体および容器内の芳香液を光で演出させることで芳香成分およびマイナスイオンの他に、視覚的にもリラックスさせる効果を得ることができる等の著効を奏する。
【図面の簡単な説明】
【図１】  本発明に係る空気調整装置の正面図である。
【図２】  本発明に係る空気調整装置の右側面図である。
【図３】  本発明に係る空気調整装置の背面図である。
【図４】  図１のＡ−Ａ線における断面図である。
【図５】  図２のＢ−Ｂ線における断面図である。
【図６】  本発明にかかる空気調整装置の組み立て説明図である。
【図７】  テーパ筒体の説明図である。
【符号の説明】
１０  空気調整装置
２０  容器
２２  筒体
２４  マイナスイオン発生体
２５  円筒籠
２６  テーパ筒体
２８  遮蔽板
２９  ファン
３０  蓋体
３１  キャップ
３２  操作部
Ｄ  電源装置
Ｍ  モータ
Ｍａ  駆動軸
【図１】
0004275902.tif 000002
【図２】
0004275902.tif 000003
【図３】
0004275902.tif 000004
【図４】
0004275902.tif 000005
【図５】
0004275902.tif 000006
【図６】
0004275902.tif 000007
【図７】
0004275902.tif 000008